(57)【要約】【課題】効果発動条件がゲーム状況に関する条件であるゲームオブジェクトに対して、ゲームオブジェクトの作成者が適切なパラメータを設定することを支援する。あるいは、ゲームのプレイヤがゲーム状況に応じた適切なゲームオブジェクトを選択することを支援する。【解決手段】プレイデータ収集部４６は、ゲームプレイ中に、キャラクタのスキル発動可能回数、スキルを発動した回数、及びスキルを発動したときの実績効果値を収集し、スキル実績ＤＢ３８に格納する。統計データ生成部４８は、スキル実績ＤＢ３８に基づいて、キャラクタのスキル発動条件、スキル発動確率、及び実績効果値の分布を示す統計データ４２ａを生成する。表示制御部５６は、プランナが新規キャラクタを生成する際に、統計データ４２ａをプランナ端末１２に表示させる。また、表示制御部５６は、プレイヤがキャラクタを選択する際に、統計データ４２ａをプレイヤ端末１４に表示させる。【選択図】図５
2018174998.tif 000002
【特許請求の範囲】
【請求項１】
パラメータとして、電子ゲームのゲーム状況に関する条件である効果発動条件、及び、効果基準を含み、前記効果発動条件を満たした場合に前記効果基準に応じた前記電子ゲーム上の効果を発動するゲームオブジェクトに関する、前記効果を発動したときの実績効果値を含むプレイデータをゲームプレイ中に収集するプレイデータ収集部と、
前記プレイデータに基づいて、前記ゲームオブジェクトに関する、前記実績効果値の分布を示す統計データを生成する統計データ生成部と、
前記統計データを表示部に表示させる表示制御部と、
を備えることを特徴とする情報処理装置。
【請求項２】
前記プレイデータは、さらに、前記効果を発動し得る状態となった回数である効果発動可能回数、及び、前記効果を発動した回数を含み、
前記統計データは、さらに、前記効果発動条件、及び、前記効果が発動された確率である効果発動確率を含む、
ことを特徴とする請求項１に記載の情報処理装置。
【請求項３】
前記統計データ生成部は、複数の前記ゲームオブジェクトに関する前記プレイデータに基づいて、複数の前記ゲームオブジェクトに関する統計データ群を生成し、
前記表示制御部は、前記統計データ群のうち、少なくとも１つの共通するパラメータを有する複数の前記ゲームオブジェクトに関する複数の統計データを比較可能に表示させる、
ことを特徴とする請求項１又は２に記載の情報処理装置。
【請求項４】
前記電子ゲームは、プレイヤが前記ゲームオブジェクトをゲームフィールドに配置していくゲームであり、
前記実績効果値は、前記ゲームフィールドにおける前記ゲームオブジェクトの配置状態に応じて変動し、
前記プレイデータは、さらに、前記ゲームフィールドへの前記ゲームオブジェクトの配置履歴データを含み、
前記情報処理装置は、
前記配置履歴データを解析する配置履歴データ解析部、
をさらに備え、
前記表示制御部は、さらに、前記配置履歴の解析結果を表示部に表示させる、
ことを特徴とする請求項１から３のいずれか１項に記載の情報処理装置。
【請求項５】
前記ゲームオブジェクトの作成者により入力された、新規ゲームオブジェクトの前記電子ゲームにおける有効度及び前記効果発動条件、並びに、前記統計データに基づいて、前記新規ゲームオブジェクトの前記効果基準の推奨値を特定する推奨値特定部と、
をさらに備え、
前記表示制御部は、前記推奨値を表示部に表示させる、
ことを特徴とする請求項２に記載の情報処理装置。
【請求項６】
前記電子ゲームは、プレイヤが複数の前記ゲームオブジェクトから使用するゲームオブジェクトを選択するゲームであり、
前記表示制御部は、前記プレイヤが使用する前記ゲームオブジェクトを選択するときに前記統計データを表示させる、
ことを特徴とする請求項１から５のいずれか１項に記載の情報処理装置。
【請求項７】
前記統計データに基づいて、前記ゲームオブジェクトの使用難易度を特定する使用難易度特定部と、
をさらに備え、
前記表示制御部は、前記プレイヤが使用する前記ゲームオブジェクトを選択するときに、前記使用難易度を表示部に表示させる、
ことを特徴とする請求項６に記載の情報処理装置。
【請求項８】
コンピュータを、
パラメータとして、電子ゲームのゲーム状況に関する条件である効果発動条件、及び、効果基準を含み、前記効果発動条件を満たした場合に前記効果基準に応じた前記電子ゲーム上の効果を発動するゲームオブジェクトに関する、前記効果を発動したときの実績効果値を含むプレイデータをゲームプレイ中に収集するプレイデータ収集部と、
前記プレイデータに基づいて、前記ゲームオブジェクトに関する、前記実績効果値の分布を示す統計データを生成する統計データ生成部と、
前記統計データを表示部に表示させる表示制御部と、
として機能させることを特徴とする情報処理プログラム。
【発明の詳細な説明】
【技術分野】
【０００１】
本発明は、情報処理装置及び情報処理プログラムに関し、特に、電子ゲームを提供する情報処理装置及び情報処理プログラムに関する。
【背景技術】
【０００２】
従来、電子ゲームを提供する情報処理装置が知られている。電子ゲームの中には、種々のパラメータが設定された複数のゲームオブジェクトを用いる電子ゲームがある。ゲームオブジェクトとは、例えば、ゲーム内のキャラクタ、あるいは、ゲーム内に用いられるアイテムや装備品など、ゲームに登場する様々なオブジェクトである。
【０００３】
ゲームオブジェクトに設定されたパラメータは、ゲームの内容に影響を与えるものが多い。したがって、一般に、プレイヤは、ゲーム状況に応じて適切なパラメータを有する適切なゲームオブジェクトを適宜選択して用いることで、ゲームを有利に進めることができる。
【０００４】
このことに鑑み、プレイヤが適切なゲームオブジェクトを選択することを支援する技術が提案されている。例えば、特許文献１には、パラメータとして属性が付与されたゲームオブジェクトを用いる電子ゲームにおいて、あるステージを攻略するのに適した属性を有するゲームオブジェクトをプレイヤに推奨するゲームシステムが開示されている。
【先行技術文献】
【特許文献】
【０００５】
【特許文献１】特開２０１５−８９８５号公報
【発明の概要】
【発明が解決しようとする課題】
【０００６】
ところで、電子ゲームの開発者、特にゲームオブジェクトの作成者においては、ゲームバランスを適切に保つために、ゲームオブジェクトのパラメータを適切に設定する必要がある。例えば、電子ゲーム内で比較的手に入りやすいゲームオブジェクトに与えられたパラメータが、入手困難なゲームオブジェクトに与えられたパラメータよりも有利だとすると、入手困難なゲームオブジェクトの存在意義が無くなるし、ゲームバランスを崩すことにもなる。また、昨今のオンラインゲームにおいては、プレイヤが課金することでゲームオブジェクトを入手する場合も多々ある。このような場合、例えば無課金で入手できるゲームオブジェクトが、課金することで初めて入手できるゲームオブジェクトよりも有利であるならば、課金したプレイヤが不満を持つことになる。
【０００７】
しかしながら、ゲームオブジェクトの効果が発動される条件（効果発動条件）が、ゲーム状況に関する条件である場合、当該ゲームオブジェクトのパラメータを適切に設定することは容易ではない。効果が発動するときのゲーム状況が各オブジェクトによって異なり得るからである。
【０００８】
一方、ゲームのプレイヤが、複数のゲームオブジェクトの中から使用するゲームオブジェクトを選択する必要がある場合、プレイヤにとっても上記と同じような問題が生じ得る。具体的には、ゲームオブジェクトの効果発動条件がゲーム状況に関する条件である場合、プレイヤとしては、当該ゲームオブジェクトがどの程度有効であるのか把握することが難しいために、ゲームの状況に応じた適切なゲームオブジェクトを選択するのが困難となっている。
【０００９】
本発明の目的は、効果発動条件がゲーム状況に関する条件であるゲームオブジェクトに対して、ゲームオブジェクトの作成者が適切なパラメータを設定することを支援することにある。あるいは、本発明の目的は、効果発動条件がゲーム状況に関する条件である複数のゲームオブジェクトの中から、ゲームのプレイヤがゲーム状況に応じた適切なゲームオブジェクトを選択することを支援することにある。
【課題を解決するための手段】
【００１０】
本発明は、パラメータとして、電子ゲームのゲーム状況に関する条件である効果発動条件、及び、効果基準を含み、前記効果発動条件を満たした場合に前記効果基準に応じた前記電子ゲーム上の効果を発動するゲームオブジェクトに関する、前記効果を発動したときの実績効果値を含むプレイデータをゲームプレイ中に収集するプレイデータ収集部と、前記プレイデータに基づいて、前記ゲームオブジェクトに関する、前記実績効果値の分布を示す統計データを生成する統計データ生成部と、前記統計データを表示部に表示させる表示制御部と、を備えることを特徴とする情報処理装置である。
【００１１】
望ましくは、前記プレイデータは、さらに、前記効果を発動し得る状態となった回数である効果発動可能回数、及び、前記効果を発動した回数を含み、前記統計データは、さらに、前記効果発動条件、及び、前記効果が発動された確率である効果発動確率を含む、ことを特徴とする。
【００１２】
望ましくは、前記統計データ生成部は、複数の前記ゲームオブジェクトに関する前記プレイデータに基づいて、複数の前記ゲームオブジェクトに関する統計データ群を生成し、前記表示制御部は、前記統計データ群のうち、少なくとも１つの共通するパラメータを有する複数の前記ゲームオブジェクトに関する複数の統計データを比較可能に表示させる、ことを特徴とする。
【００１３】
望ましくは、前記電子ゲームは、プレイヤが前記ゲームオブジェクトを盤上に配置していくゲームであり、前記実績効果値は、前記盤上における前記ゲームオブジェクトの配置状態に応じて変動し、前記プレイデータは、さらに、前記盤上への前記ゲームオブジェクトの配置履歴データを含み、前記情報処理装置は、前記配置履歴データを解析する配置履歴データ解析部、をさらに備え、前記表示制御部は、さらに、前記配置履歴の解析結果を表示部に表示させる、ことを特徴とする。
【００１４】
望ましくは、前記ゲームオブジェクトの作成者により入力された、新規ゲームオブジェクトの前記電子ゲームにおける有効度及び前記効果発動条件、並びに、前記統計データに基づいて、前記新規ゲームオブジェクトの前記効果基準の推奨値を特定する推奨値特定部と、をさらに備え、前記表示制御部は、前記推奨値を表示部に表示させる、ことを特徴とする。
【００１５】
望ましくは、前記電子ゲームは、プレイヤが複数の前記ゲームオブジェクトから使用するゲームオブジェクトを選択するゲームであり、前記表示制御部は、前記プレイヤが使用する前記ゲームオブジェクトを選択するときに前記統計データを表示させる、ことを特徴とする。
【００１６】
望ましくは、前記統計データに基づいて、前記ゲームオブジェクトの使用難易度を特定する使用難易度特定部と、をさらに備え、前記表示制御部は、前記プレイヤが使用する前記ゲームオブジェクトを選択するときに、前記使用難易度を表示部に表示させる、ことを特徴とする。
【００１７】
また、本発明は、コンピュータを、パラメータとして、電子ゲームのゲーム状況に関する条件である効果発動条件、及び、効果基準を含み、前記効果発動条件を満たした場合に前記効果基準に応じた前記電子ゲーム上の効果を発動するゲームオブジェクトに関する、前記効果を発動したときの実績効果値を含むプレイデータをゲームプレイ中に収集するプレイデータ収集部と、前記プレイデータに基づいて、前記ゲームオブジェクトに関する、前記実績効果値の分布を示す統計データを生成する統計データ生成部と、前記統計データを表示部に表示させる表示制御部と、として機能させることを特徴とする情報処理プログラムである。
【発明の効果】
【００１８】
本発明によれば、効果発動条件がゲーム状況に関する条件であるゲームオブジェクトに対して、ゲームオブジェクトの作成者が適切なパラメータを設定することを支援することができる。あるいは、本発明によれば、効果発動条件がゲーム状況に関する条件である複数のゲームオブジェクトの中から、ゲームのプレイヤがゲーム状況に応じた適切なゲームオブジェクトを選択することを支援することができる。
【図面の簡単な説明】
【００１９】
【図１】本実施形態に係るゲームシステムの構成概略図である。
【図２】本実施形態に係るゲームシステムが提供するゲームのゲーム画面の例を示す図である。
【図３】プランナ端末の構成概略図である。
【図４】プレイヤ端末の構成概略図である。
【図５】ゲームサーバの構成概略図である。
【図６】キャラクタＤＢの内容例を示す図である。
【図７】スキル実績ＤＢの内容例を示す図である。
【図８】棋譜ログの内容例を示す図である。
【図９】複数の統計データの表示例を示す図である。
【図１０】プランナ端末に統計データが表示された例を示す図である。
【図１１】プランナ端末に攻撃力の推奨値が表示された例を示す図である。
【図１２】プランナ端末に棋譜ログの解析結果が表示された例を示す図である。
【図１３】プレイヤ端末に統計データが表示された例を示す図である。
【図１４】プレイヤ端末に使用難易度が表示された例を示す図である。
【図１５】本実施形態に係るゲームサーバの処理の流れを示すフローチャートである。
【発明を実施するための形態】
【００２０】
以下、本発明の実施形態について説明する。
【００２１】
図１に、本実施形態に係るゲームシステム１０の構成概略図が示されている。ゲームシステム１０は、ゲームシステム１０により提供される電子ゲーム（以下単に「ゲーム」と記載する）の開発者、より詳しくは、当該ゲームで使用されるゲームオブジェクトの作成者であるプランナが使用するプランナ端末１２、ゲームのプレイヤが使用するプレイヤ端末１４、及び、情報処理装置としてのゲームサーバ１６を含んで構成されている。プランナ端末１２とゲームサーバ１６との間、及び、プレイヤ端末１４とゲームサーバ１６との間は、通信回線１８を介して互いに通信可能に接続されている。通信回線１８は、例えばインターネットあるいはローカルエリアネットワーク（ＬＡＮ）などによって構成される。なお、図１には、プランナ端末１２及びプレイヤ端末１４がそれぞれ１つずつ示されているが、これらはそれぞれ複数設けられてよい。
【００２２】
ゲームシステム１０においては、プランナがプランナ端末１２を用いてゲームサーバ１６にアクセスすることで、ゲームオブジェクトの作成を含むゲームの開発を行うことができる。そして、プレイヤ端末１４から送信されるゲームの提供要求に応じて、ゲームサーバ１６が各種ゲーム情報をプレイヤ端末１４に送信することでゲームが提供される。
【００２３】
ここで、本実施形態におけるゲームシステム１０が提供するゲームの内容について説明する。図２に、プレイヤ端末１４に表示されるゲーム画面の例が示されている。本ゲームは、複数のゲームオブジェクトとしての複数のキャラクタを用いて、敵プレイヤとバトルするものである。敵プレイヤとしては、自プレイヤ以外の他のプレイヤであってもよいし、コンピュータ（ゲームサーバ１６）であってもよい。具体的には、ゲームフィールドとしての、複数のマスが定義された盤２０上に、オセロ（登録商標）の要領で自プレイヤと敵プレイヤとが交互にキャラクタを配置していくものである。図２においては、各マスの行が数字「１」〜「６」で、列が英字「Ａ」〜「Ｆ」で示されている。
【００２４】
盤２０上の白丸は自プレイヤの石（白石）を示し、黒丸は敵プレイヤの石（黒石）を示す。そして、盤２０上の白丸の中にキャラクタ名（例えば「Ｃ００５５」）が記載されたものは自プレイヤのキャラクタ（自キャラクタ）を示し、黒丸の中にキャラクタ名が記載されたものは敵プレイヤのキャラクタ（敵キャラクタ）を示す。２つの自キャラクタ、又は、１つの白石と１つの自キャラクタで、敵キャラクタあるいは黒石を挟み込むと、敵キャラクタあるいは黒石を白石に変化させる（ひっくり返す）ことができる。また、２つの敵キャラクタ、又は、１つの黒石と１つの敵キャラクタで、自キャラクタあるいは白石が挟み込まれると、自キャラクタあるいは白石が黒石に変化させられる。なお、通常のオセロ（登録商標）同様、ゲーム開始時において、盤２０の中央部４つのマスには白石と黒石が２つずつ置かれていてよい。すなわち、３Ｃのマス及び４Ｄのマスには白石が、３Ｄのマス及び４Ｃのマスには黒石が置かれていてよい。
【００２５】
プレイヤは、本ゲーム内において定義された複数のキャラクタであって、当該プレイヤが取得した（本ゲーム内で使用可能となった）キャラクタの中から複数のキャラクタを選択する。例えば、本実施形態では１６個キャラクタを選択する。本明細書においては、プレイヤによって選択された１６個のキャラクタ群を「デッキ」と呼ぶ。プレイヤは、ゲームの進行に応じて、あるいは、課金することによって新たなキャラクタを取得することができる。図２に示すように、デッキの中から選択された４つのキャラクタが画面に表示される。本明細書においては、当該４つのキャラクタを「手駒」２２と呼ぶ。なお、手駒２２は、ゲームサーバ１６によってデッキの中からランダムに選択されてもよいし、プレイヤがデッキの中から選択可能となっていてもよい。ユーザは、４つの手駒２２の中から任意のキャラクタを選択し、選択したキャラクタを盤２０上のマスに配置する。
【００２６】
詳細は後述するが、各キャラクタには複数のパラメータが設定されている。例えば、攻撃力、スキル効果、スキル発動条件といったパラメータ項目に対するパラメータが設定されている。キャラクタが盤２０上に配置されると、当該キャラクタの攻撃力に応じたダメージを対戦相手に与えることができる。あるいは、当該キャラクタのスキル発動条件が満たされると、当該キャラクタが有するスキル（技）が実行され、スキル効果（あるいはスキル効果及び攻撃力）に応じたゲーム上の効果が発動される。
【００２７】
自プレイヤ及び敵プレイヤにはそれぞれＨＰ（ヒットポイント）が設定されている。図２においては、自プレイヤの最大ＨＰが２５０であり、現在のＨＰが１８０であることが示されている。キャラクタが盤２０上に配置されたことや、スキルを実行することなどによって対戦相手のＨＰを減らすことができる。また、キャラクタのスキルによってＨＰが回復できるようになっていてもよい。そして、先にＨＰが０になった方が負けであり、他方が勝ちとなる。
【００２８】
図３には、プランナ端末１２の構成概略図が示されている。プランナ端末１２は、例えば一般的なコンピュータであってよい。
【００２９】
制御部１２ａは、例えばＣＰＵ（Central Processing Unit）あるいはマイクロコンピュータなどを含んで構成され、後述の記憶部１２ｅに記憶されたプログラムに従ってプランナ端末１２の各部を制御するものである。
【００３０】
通信部１２ｂは、例えばネットワークアダプタなどを含んで構成され、通信回線１８を介してゲームサーバ１６と通信する機能を有するものである。
【００３１】
入力部１２ｃは、例えばマウス、キーボード、あるいはタッチパネルなどを含んで構成される。入力部１２ｃは、プランナの指示をプランナ端末１２に入力するためのものである。
【００３２】
表示部１２ｄは、例えば液晶ディスプレイなどを含んで構成され、各種画面を表示する者である。特に、表示部１２ｄには、ゲームの開発画面、より詳しくはキャラクタ作成画面などが表示される。
【００３３】
記憶部１２ｅは、例えばハードディスク、ＲＡＭ（Random Access Memory）、あるいはＲＯＭ（Read Only Memory）などを含んで構成される。記憶部１２ｅには、プランナ端末１２の各部を動作させるためのプログラムが記憶される。あるいは、記憶部１２ｅには、各種の制御データあるいは各種の処理結果データなどが記憶される。
【００３４】
図４には、プレイヤ端末１４の構成概略図が示されている。本実施形態においては、プレイヤ端末１４としてはスマートフォンやタブレット端末といった携帯型の端末が用いられるが、プレイヤ端末１４は据え置き型のコンピュータであってもよい。
【００３５】
制御部１４ａは、例えばＣＰＵあるいはマイクロコンピュータなどを含んで構成され、後述の記憶部１４ｅに記憶されたゲームのクライアントプログラムに従ってプレイヤ端末１４の各部を制御するものである。
【００３６】
通信部１４ｂは、例えばネットワークアダプタなどを含んで構成され、通信回線１８を介してゲームサーバ１６と通信する機能を有するものである。
【００３７】
入力部１４ｃは、例えばタッチパネルあるいはボタンなどを含んで構成される。入力部１４ｃは、プレイヤの指示をプレイヤ端末１４に入力するためのものである。
【００３８】
表示部１４ｄは、例えば液晶ディスプレイなどを含んで構成され、各種画面を表示する者である。特に、表示部１４ｄにはゲーム画面などが表示される。
【００３９】
記憶部１４ｅは、例えばＲＡＭあるいはＲＯＭなどを含んで構成される。記憶部１４ｅには、ゲームのクライアントプログラムが記憶される。あるいは、記憶部１４ｅには、各種の制御データあるいは各種のゲーム処理結果データなどが記憶される。
【００４０】
図５には、ゲームサーバ１６の構成概略図が示されている。
【００４１】
通信部３０は、例えばネットワークアダプタなどを含んで構成され、通信回線１８を介してプランナ端末１２及びプレイヤ端末１４と通信する機能を有するものである。
【００４２】
記憶部３２は、例えばハードディスク、ＲＡＭ、あるいはＲＯＭなどを含んで構成される。記憶部３２には、情報処理プログラムとしての、ゲームのホストプログラムが記憶される。当該ホストプログラムが実行されることで、ゲームが進行すると共に、ゲームサーバ１６の各部が動作する。また、図５に示される通り、記憶部３２には、キャラクタＤＢ３４及びプレイデータＤＢ３６が定義される。プレイデータＤＢ３６は、スキル実績ＤＢ３８及び棋譜ログ４０を含んで構成されている。さらに、記憶部３２には、複数の統計データ４２ａからなる統計データ群４２が記憶される。
【００４３】
キャラクタＤＢ３４は、本ゲームにおいて（すなわちホストプログラムによって）定義され、本ゲーム内で自プレイヤあるいは敵プレイヤが使用可能なキャラクタに関するデータが格納されたデータベースである。具体的には、キャラクタＤＢ３４には、各キャラクタに設定された各パラメータが格納されている。
【００４４】
図６に、本実施形態に係るキャラクタＤＢ３４の内容が示されている。図６においてはキャラクタＤＢ３４はテーブル形式で示されているが、キャラクタＤＢ３４のデータ形式はこれに限られるものではない。図６においては、１つのレコードが１つのキャラクタに対応している。本実施形態では、各キャラクタは、キャラクタ名、属性、レア度、攻撃力、スキル名、スキル発動条件、及び、スキル効果の各パラメータ項目に対するパラメータを有している。これらのパラメータはプランナによって定義される。もちろん、パラメータ項目としては、これらに限られず、各キャラクタは、その他のパラメータ項目に対するパラメータを有していてもよい。
【００４５】
キャラクタ名は当該キャラクタの名前を示すパラメータである。本ゲームにおいては、キャラクタ名によってキャラクタを一意に識別可能となっている。つまり、キャラクタ名はキャラクタを識別する識別情報として機能し得る。
【００４６】
属性は、当該キャラクタの特徴を示すものである。例えば、属性が「Ｐ１」のキャラクタは、他の属性に比して比較的攻撃力が高いキャラであり、属性が「Ｐ２」のキャラクタは、他の属性に比してスキル効果が比較的有力なキャラである。プレイヤは、キャラクタの属性を確認することで、当該キャラクタのおおよその特徴を把握できる。また、属性は、キャラクタのスキル発動条件として用いられる場合もある。
【００４７】
レア度は、当該キャラクタの入手困難度を示す値である。本実施形態では、レア度として「Ｓ」、「Ａ」、「Ｂ」、及び「Ｃ」の４つの値を取り得る。このうち、レア度「Ｓ」が最も入手困難なキャラクタであり、レア度「Ｃ」は最も入手が簡単なキャラクタである。レア度「Ｓ」のキャラクタは、例えばゲームにおいて難敵を倒したときに取得できる、あるいはプレイヤが課金した場合に取得できるようになっている。一方、レア度「Ｃ」のキャラクタは、ゲーム開始時にプレイヤに与えられていたり、比較的弱い敵を倒したときに得られるキャラクタである。レア度「Ａ」及び「Ｂ」のキャラクタはそれらの中間となる。レア度が高いほど、そのキャラクタは本ゲームにおいてより有効なキャラクタとなっている。したがって、本実施形態におけるレア度は、当該キャラクタの有効度を示すものでもある。
【００４８】
攻撃力は、当該キャラクタが盤２０上に配置されたときに対戦相手に与えるダメージの基準となる値である。本実施形態では、実際に対戦相手に与えるダメージは攻撃力の値に乱数を考慮した値となっている。つまり、攻撃力が一定であっても、対戦相手に与えるダメージが変動するようになっている。なお、本明細書では、キャラクタが盤２０上に配置され、スキルを発動せずに攻撃力の値に基づいて対戦相手にダメージを与えることを「通常攻撃」と記載する。
【００４９】
スキル名は、当該キャラクタが有するスキルの名称である。本実施形態では、１つのキャラクタは１つのスキルを有しているものとするが、１つのキャラクタが複数のスキルを有するようにしてもよい。本実施形態では、キャラクタ名同様、スキル名によってスキルを一意に識別することができる。なお、複数のキャラクタが同一のスキルを有していてもよい。
【００５０】
効果発動条件としてのスキル発動条件は、当該キャラクタのスキルが発動する条件を示すものである。ここで、スキル発動条件は、単純な数値（例えば５０％の確率）というように定義されるものではなく、本ゲームのゲーム状況に関する条件となっている。例えば、キャラクタ名「Ｃ００２２」が有するスキル「Ｓ００１」のスキル発動条件は、「（それを配置したプレイヤの現在の）ＨＰが最大ＨＰの５％以下」という条件となっている。また、例えば、キャラクタ名「Ｃ０１５８」が有するスキル「Ｓ００２」のスキル発動条件は、「（それを配置した直後において）盤上に属性がＰ１の自キャラクタが３つ以上」となっている。なお、スキル発動条件としては、キャラクタが盤２０上に配置されたときのゲーム状況を条件とするもののみならず、例えば、キャラクタが手駒２２に入ったことなどを条件としてもよい。
【００５１】
ゲームオブジェクトが発動する効果としてのスキル効果は、当該キャラクタに付されたスキル発動条件が満たされた場合に、当該キャラクタが発動するスキルの効果の内容を示すものである。スキル効果の内容としては、対戦相手にダメージを与えるもののみならず、自プレイヤのＨＰを回復するもの、手駒２２あるいはデッキにあるキャラクタの攻撃力を一時的に向上させるものなど様々な種類があってよい。つまり、スキルの種類として、ダメージスキル、回復スキル、攻撃力向上スキルなど複数の種類があってよい。
【００５２】
スキル効果が対戦相手にダメージを与えるものである場合、一般に、通常攻撃に比して、より大きなダメージを対戦相手に与えることができるようになっている。例えば、キャラクタ名「Ｃ００２２」が有するスキル「Ｓ００１」のスキル効果は、「通常攻撃の４倍のダメージを与える」となっており、キャラクタ名「Ｃ０１５８」が有するスキル「Ｓ００２」のスキル効果は、「通常攻撃の２倍のダメージを与える」となっている。このように、スキル効果は、攻撃力の値を基準として規定されていてもよい。
【００５３】
一方、キャラクタ名「Ｃ２４１」が有するスキル「Ｓ００３」のスキル効果は、「（当該キャラクタを盤２０上に配置したことによって、対戦相手の石を）ひっくり返した枚数×１０のダメージを与える」となっている。このように、スキル効果は、攻撃力に関係なく、ゲームの状況、特に盤２０上におけるキャラクタの配置状態（この例では対戦相手の石をひっくり返した枚数）のみによって規定されていてもよい。つまり、スキル効果は、キャラクタの配置状態のみによって変動するようになっていてもよい。なお、キャラクタの配置状態としては、上記以外に、例えば、当該キャラクタが配置された時点や当該キャラクタのスキル発動時点における、盤上の自キャラクタの数、盤上の敵キャラクタの数、盤上の特定属性を有するキャラクタの数、盤上の特定の状態であるキャラクタの数、当該キャラクタの盤上における位置や当該位置に設定されたフィールド属性、当該キャラクタの盤上における位置と他のキャラクタの位置との関係、などが挙げられる。
【００５４】
以上の通りであるから、本実施形態においては、キャラクタが有するパラメータのうち、攻撃力及びスキル効果が効果基準に相当するものであり、あるいは、スキル効果のみが効果基準に相当するものである。
【００５５】
なお、本実施形態では、スキル名が同じであれば、スキル発動条件及びスキル効果も同じとなっている。つまり、スキル名からスキル発動条件及びスキル効果が特定できるようになっている。
【００５６】
上述のように、本実施形態においては、各キャラクタのスキル発動条件がゲーム状況に関する条件で規定されているために、プランナとしては新規キャラクタを作成する際に、スキル効果あるいは攻撃力を適切に設定することが難しくなっている。仮に、スキル発動条件が単純に確率として数値で与えられているならば、プランナとしては、スキル発動の確率（数値）に基づいて、適切なスキル効果あるいは攻撃力を設定することが比較的容易となる場合がある。しかしながら、スキル発動条件がゲーム状況に関する条件で規定されている場合、そのキャラクタのスキルの発動確率を把握することが容易でなく、これが新規キャラクタのスキル効果あるいは攻撃力を適切に設定することを難しくしている。
【００５７】
また、プレイヤとしても、各キャラクタのスキル発動条件がゲーム状況に関する条件で規定されているために、デッキに入れるキャラクタを適切に選択することが難しくなっている。すなわち、プレイヤとしても、キャラクタのスキル発動条件を見ても、当該キャラクタがどの程度の確率でスキルを発動するのかを把握することが容易でないからである。
【００５８】
図５に戻り、プレイデータＤＢ３６は、プレイヤによる実際のゲームプレイ中における本ゲームに関するデータが蓄積されるデータベースである。あるいは、プレイデータＤＢ３６には、プレイヤによる実際のゲームプレイ中のみならず、本ゲームの開発者あるいはゲームシミュレータなどによる試験的なゲームプレイ中におけるデータも蓄積されてもよい。いずれにしても、プレイデータＤＢ３６には、プレイヤによる実際のゲームプレイ中か、それと同一視できる状況におけるデータが蓄積される。上述のように、プレイデータＤＢ３６は、スキル実績ＤＢ３８、及び、配置履歴データとしての棋譜ログ４０を含んでいる。
【００５９】
スキル実績ＤＢ３８は、ゲームプレイ中に、キャラクタが何回スキルを発動し得る状態となったか、当該キャラクタが何回スキルを発動したか、及び、スキルを発動した場合には、当該スキルの発動によって実際にどれだけの効果が出たかが蓄積記憶されるデータベースである。また、棋譜ログ４０は、ゲームプレイ中に、自プレイヤ及び敵プレイヤが、どのタイミングで、盤２０上のどこに、どのキャラクタを配置したのか、及び、キャラクタの配置によって対戦相手の石が何枚ひっくり返されたのかを示すログ（履歴）情報である。
【００６０】
プレイデータＤＢ３６に蓄積されるデータは、後述のプレイデータ収集部４６により収集されるものである。スキル実績ＤＢ３８及び棋譜ログ４０の詳細については、後に、プレイデータ収集部４６と共に説明する。
【００６１】
統計データ４２ａは、スキル実績ＤＢ３８に蓄積されたデータに基づいて、後述の統計データ生成部４８により生成されるものである。統計データ４２ａは、キャラクタが有する１つのスキルに関する、スキル発動条件、効果発動確率としてのスキル発動確率、及び、実績効果値の分布を示すものである。統計データ４２ａの詳細についても、後に、統計データ生成部４８と共に説明する。
【００６２】
制御部４４は、例えばＣＰＵあるいはマイクロコンピュータなどを含んで構成され、記憶部３２に記憶されたゲームのホストプログラムに従ってゲームサーバ１６の各部を制御するものである。また、図５に示される通り、制御部４４は、ホストプログラムによって、プレイデータ収集部４６、統計データ生成部４８、推奨値特定部５０、配置履歴データ解析部としての棋譜ログ解析部５２、使用難易度特定部５４、及び、表示制御部５６としても機能する。以下、制御部４４が有するこれらの機能について説明する。
【００６３】
プレイデータ収集部４６は、ゲームプレイ中における本ゲームに関するデータ（プレイデータ）を逐次取得し、プレイデータＤＢ３６に格納する処理を行う。上述の通り、プレイデータ収集部４６は、プレイヤによる実際のゲームプレイ中のみならず、試験的なゲームプレイ中におけるプレイデータも取得する。
【００６４】
まず、スキル実績ＤＢ３８に格納されるデータについて説明する。図７に、本実施形態に係るスキル実績ＤＢ３８の内容が示されている。図７においてはスキル実績ＤＢ３８はテーブル形式で示されているが、スキル実績ＤＢ３８のデータ形式はこれに限られるものではない。本実施形態におけるスキル実績ＤＢ３８は、「キャラクタ名」、「スキル名」、「スキル発動」、及び「実績効果値」の項目を有する。
【００６５】
プレイデータ収集部４６は、ゲームプレイ中に、あるキャラクタがスキルを発動し得る状態になった時点で、当該キャラクタのキャラクタ名、及び、当該キャラクタが有するスキル名を特定する。そして、特定したキャラクタ名及びスキル名を含む新たなレコードをスキル実績ＤＢ３８に追加する。上述のように、本ゲームにおいては、キャラクタは、盤２０上に配置された上で一定条件を満たした場合、あるいは、手駒２２に入った場合にスキルを発動することができる。したがって、本実施形態における「キャラクタがスキルを発動し得る状態」とは、当該キャラクタが手駒２２に入った状態である。すなわち、本実施形態では、プレイデータ収集部４６は、あるキャラクタが手駒２２に入ったことをトリガとして、当該キャラクタのキャラクタ名及びスキル名を含むレコードをスキル実績ＤＢ３８に追加する。
【００６６】
その後、プレイデータ収集部４６は、ゲームプレイ中においてスキル実績ＤＢ３８にレコードが追加されたキャラクタがスキルを発動するか否かをモニタし、当該キャラクタがスキルを発動したことをトリガとして、当該レコードの「スキル発動」項目に「１」を格納する。すなわち、「スキル発動」項目は、当該キャラクタがゲームプレイ中においてスキルを発揮したか否かを示すものであり、「スキル発動」項目の値「１」はスキルを発動したことを示す値である。一方、あるキャラクタが手駒２２に入ったにも関わらず、スキルを発動せずに当該ゲームが終了した場合は、プレイデータ収集部４６は、当該レコードの「スキル発動」項目に「０」を格納する。つまり、「スキル発動」項目の値「０」はスキルを発動しなかったことを示す値である。
【００６７】
キャラクタがスキルを発動した場合、プレイデータ収集部４６は、当該スキル発動の実績効果値を取得する。そして、取得した実績効果値を当該キャラクタに対応するレコードの「実績効果値」項目に格納する。なお、図７に示された各キャラクタの各スキルはいずれもダメージスキルである。したがって、実績効果値としてはダメージ量が格納されているが、上述のように、スキルの種類としては、回復スキル、あるいは攻撃力向上スキルなどもあることから、実績効果値としては、回復値あるいは攻撃力向上値などが格納されてもよい。
【００６８】
このように、スキル実績ＤＢ３８に各データが蓄積されていくと、スキル実績ＤＢ３８は、複数のキャラクタについて、各キャラクタがスキルを発動し得る状態となった回数である効果発動可能回数としてのスキル発動可能回数、各キャラクタがスキルを発動した回数、及び、各キャラクタがスキルを発動したときの実績効果値を示すものとなる。すなわち、プレイデータ収集部４６は、あるキャラクタがスキルを発動し得る状態となる度に、スキル実績ＤＢ３８にレコードが追加されるから、同一のキャラクタ名を有するレコードの数が、当該キャラクタのスキル発動可能回数を示すことになる。また、同一のキャラクタ名を有する複数のレコードのうち、「スキル発動」項目の値が「１」であるレコードの数が、当該キャラクタがスキルを発動した回数となる。スキルを発動したときの実績効果値は、「実績効果値」項目の値そのものである。
【００６９】
次に、棋譜ログ４０について説明する。図８に、本実施形態に係る棋譜ログ４０の内容が示されている。図８においては棋譜ログ４０もテーブル形式で示されているが、棋譜ログ４０のデータ形式はこれに限られるものではない。本実施形態における棋譜ログ４０は、「ターン数」、「配置キャラクタ」、「配置場所」、及び「ひっくり返した枚数」の項目を有する。
【００７０】
プレイデータ収集部４６は、自プレイヤあるいは敵プレイヤが盤２０上にキャラクタを配置する度に、上記の各項目に対する値を有する新たなレコードを棋譜ログ４０に追加していく。例えば、自プレイヤの１ターン目（ゲーム開始後、最初に自プレイヤが盤２０上にキャラクタを配置する番）において、自プレイヤが、キャラクタ「Ｃ００４８」を盤２０上の「３Ｅ」のマスに配置し、それにより敵キャラクタ又は敵プレイヤの石（黒石）を「１」つひっくり返した場合、「ターン数」項目の値として「自１」（これは自キャラクタの１ターン目を表す）、「配置キャラクタ」項目の値として「Ｃ００４８」、「配置場所」項目の値として「３Ｅ」、及び、「ひっくり返した枚数」項目の値として「１」を有する新たなレコードを追加する。また、敵プレイヤの１ターン目（ゲーム開始後、最初に敵プレイヤが盤２０上にキャラクタを配置する番）において、敵プレイヤが、キャラクタ「Ｃ０００８」を盤２０上の「２Ｃ」のマスに配置し、それにより自キャラクタ又は自プレイヤの石（白石）を「１」つひっくり返した場合、「ターン数」項目の値として「敵１」（これは敵キャラクタの１ターン目を表す）、「配置キャラクタ」項目の値として「Ｃ０００８」、「配置場所」項目の値として「２Ｃ」、及び、「ひっくり返した枚数」項目の値として「１」を有する新たなレコードを追加する。
【００７１】
プレイデータＤＢ３６の内容としは以上の通りである。上述のように、プレイデータ収集部４６は、ゲームプレイ中のプレイデータを収集してプレイデータＤＢ３６に格納する。プレイデータ収集部４６は、本ゲームがプレイされる度にプレイデータを収集するので、プレイデータＤＢ３６の内容は刻々と変化していくことになる。
【００７２】
統計データ生成部４８は、プレイデータ収集部４６により収集されたプレイデータ、特にスキル実績ＤＢ３８に蓄積されたデータに基づいて統計データ４２ａを生成する。上述の通り、統計データ４２ａは、キャラクタの１つのスキルに関する、スキル発動条件、効果発動確率としてのスキル発動確率、及び、実績効果値の分布を示すものである。統計データ生成部４８は、まず、キャラクタＤＢ３４を参照して、統計データ４２ａの作成あるいは更新処理対象となるキャラクタのキャラクタ名と、当該キャラクタが有するスキルのスキル発動条件を特定する。ここでは、キャラクタ名「Ｃ００２２」及びスキル発動条件「ＨＰが最大ＨＰの５％以下」が特定されたものとする。
【００７３】
次いで、統計データ生成部４８は、スキル実績ＤＢ３８を参照して、特定されたキャラクタ名「Ｃ００２２」のレコードの数、すなわちスキル発動可能回数を取得する。ここでは、スキル発動可能回数として「１００回」が取得されたとする。さらに、統計データ生成部４８は、キャラクタ名「Ｃ００２２」の１００個のレコードのうち、「スキル発動」項目が「１」であるレコードの数、すなわち当該キャラクタがスキルを発動した回数を特定する。ここでは、当該キャラクタがスキルを発動した回数として「５回」が特定されたとする。統計データ生成部４８は、特定したスキル発動可能回数及びスキルを発動した回数に基づいて、当該キャラクタのスキルが発動された確率であるスキル発動確率を演算する。具体的には、
【数１】
2018174998.tif 000003
により、当該キャラクタのスキル発動確率が算出される。上記の例では、スキル発動条件「ＨＰが最大ＨＰの５％以下」のスキル発動確率としては５％が算出される。
【００７４】
さらに、統計データ生成部４８は、キャラクタ名「Ｃ００２２」の複数のレコードのうち、「スキル発動」項目が「１」であるレコードが有する実績効果値を全て取得する。これにより、当該キャラクタのスキルが発動されたときの実績効果値の分布が取得される。
【００７５】
上述のように取得された、スキル発動条件、スキル発動確率、及び、当該スキルの実績効果値の分布が互いに関連付けられたものが、当該キャラクタのスキルの統計データ４２ａである。
【００７６】
統計データ生成部４８は、上述の処理によって、キャラクタＤＢ３４に登録された複数のキャラクタ、理想的には、全てのキャラクタについての統計データ４２ａを生成する。これにより統計データ群４２が形成される。
【００７７】
上述のように、プレイデータＤＢ３６（スキル実績ＤＢ３８）の内容は刻々と変化していくため、統計データ４２ａの内容も刻々と変化し得るものである。したがって、統計データ生成部４８は、所定の時間間隔で統計データ４２ａを更新するのが望ましい。
【００７８】
図９に、本実施形態における複数の統計データ４２ａの表示例が示されている。統計データ群４２から選択された複数の統計データ４２ａは、後述の表示制御部５６により、プランナ端末１２の表示部１２ｄ、又は、プレイヤ端末１４の表示部１４ｄに表示される。統計データ群４２のうち、表示対象となる統計データ４２ａは、プランナあるいはプレイヤの指示に応じて選択されてよい。例えば、プランナあるいはプレイヤにより指示されたパラメータ項目（レア度、属性、スキル発動条件、スキル効果、スキルの種類など）について共通のパラメータを有する複数のキャラクタのスキルに関する複数の統計データ４２ａを表示することができる。例えば、図９には、統計データ群４２のうち、レア度が「Ｓ」のキャラクタであって、ダメージスキルを有するキャラクタについての複数の統計データ４２ａが表示された状態が示されている。好適には、これら複数の統計データ４２ａが比較可能に表示される。例えば、図９のように、複数の統計データ４２ａが並べられて表示される。なお、プランナあるいはプレイヤにより選択された単一の統計データ４２ａが表示されるようにしてもよい。
【００７９】
本実施形態においては、複数の統計データ４２ａはグラフ形式で表示される。当該グラフの横軸にはキャラクタ名が並べられている。上述のように、本実施形態では、１つのキャラクタが１つのスキルを有していることから、横軸はスキル名が並べられたものとみなすことができる。また、本実施形態では、スキル名からスキル発動条件が特定できるから、横軸はスキル発動条件が並べられたものとみなすことができる。あるいは、横軸に、キャラクタ名に代えて、スキル名あるいはスキル発動条件が並べられてもよい。図９の例では、一番左に配置されたキャラクタのスキル発動確率が最も高く、左から右へ行くにつれてスキル発動確率が低くなるように、複数のキャラクタが並べられている。
【００８０】
縦軸は、実績効果値及びスキル発動確率を示すものとなっている。具体的には、左側の縦軸が実績効果値を示し、右側の縦軸がスキル発動確率を示す。図９の表示例では、各キャラクタの実績効果値の分布は、箱髭図で表されている。具体的には、髭の下限が実績効果値の５パーセンタイル（ダメージを降順に並べたときの下から５％の効果値）を表し、箱の下限が実績効果値の２５パーセンタイルを表し、箱内の横線が実績効果値の中央値を表し、箱の上限が実績効果値の７５パーセンタイルを表し、髭の上限が実績効果値の９５パーセンタイルを表す。
【００８１】
一方、スキル発動確率については、各キャラクタに対してグラフ上に点がプロットされる。図９の例においては、複数のキャラクタに対する各スキル発動確率の点が結ばれてスキル発動確率グラフが形成されている。上述のように、図９の例では、スキル発動確率の順にキャラクタが並べられているから、スキル発動確率グラフが右へ行くにつれて低いスキル発動確率を示すことが把握できる。
【００８２】
図９によれば、スキル発動確率が低いキャラクタ（スキル）程、その実績効果値が大きくなる傾向が認められる。これは各キャラクタのパラメータが比較的適切に設定されていることを表していると言える。ここで、例えばスキル発動確率が８０％程度なのに、実績効果値の分布が２００〜３００というようなキャラクタが存在すると、そのキャラクタによってゲームバランスが崩れてしまう。
【００８３】
図５に戻り、推奨値特定部５０は、プランナが作成しようとしている新規キャラクタに関するパラメータの一部、少なくとも、レア度とスキル発動条件がプランナから入力されると、入力されたパラメータ及び統計データ群４２とに基づいて、当該新規キャラクタに設定すべきスキル効果あるいは攻撃力を特定するものである。
【００８４】
本実施形態では、推奨値特定部５０は、推奨値を以下の方法で特定する。まず、推奨値特定部５０は、新規キャラクタに関するパラメータが入力されるに先立って、統計データ群４２の中から、同じレア度のキャラクタであって、同じ種類のスキルを有するキャラクタに関する統計データ４２ａのグループを取得する。例えば、レア度「Ｓ」であって、ダメージスキルを有するキャラクタに関する統計データ４２ａのグループを取得する。そして、グループに含まれる複数の統計データ４２ａに対応する各キャラクタについての、スキル発動確率と実績効果値の分布における代表値（例えば中央値）との乗算値を算出する。図９の例を用いれば、例えば、キャラクタ「Ｃ０００１」については、スキル発動確率「８５％」と、実績効果値の中央値「３０」の乗算値として「２５．５」が算出される。同様に、例えば、キャラクタ「Ｃ００１６」については、スキル発動確率「４１％」と、実績効果値の中央値「６０」の乗算値として「２４．６」が算出される。
【００８５】
次いで、算出された複数の乗算値の当該グループ内での平均値を算出する。そして、推奨値特定部５０は、算出された平均値を、レア度「Ｓ」とダメージスキルとの組み合わせに対する指標値とする。推奨値特定部５０は、各レア度と各スキルの種類との複数の組み合わせに対応する複数の指標値を算出する。
【００８６】
既存のキャラクタのパラメータが、そのレア度に応じて適切に設定されているならば、同等のスキル発動確率を有するキャラクタ（スキル）同士で比較すると、レア度がより高いキャラクタのスキルの方がより大きな実績効果値の代表値を有しているはずである。したがって、同じスキルの種類についてみれば、より高いレア度との組み合わせの方が、その指標値がより大きくなっている。例えば、レア度「Ｓ」とダメージスキルとの組み合わせに対応する指標値は、レア度「Ａ」とダメージスキルとの組み合わせに対応する指標値よりも大きくなっている。
【００８７】
このように、レア度とスキルの種類とからなる複数の組み合わせに対応する複数の指標値を予め算出しておくことで、推奨値特定部５０は、プランナから入力される新規キャラクタのレア度、スキルの種類、及びスキル発動条件によって、推奨値を特定することが可能となる。
【００８８】
まず、推奨値特定部５０は、プランナから入力された新規キャラクタのスキル発動条件と統計データ群４２に基づいて、当該新規キャラクタのスキル発動確率を特定する。統計データ群４２の中に、新規キャラクタのスキル発動条件と同一のスキル発動条件に関する統計データ４２ａがあれば、推奨値特定部５０は、当該統計データ４２ａが示すスキル発動確率を新規キャラクタのスキル発動確率として特定する。
【００８９】
統計データ群４２の中に、新規キャラクタのスキル発動条件と同一のスキル発動条件に関する統計データ４２ａが無い場合、すなわち、新規キャラクタのスキル発動条件が新しいものである場合であっても、推奨値特定部５０は、当該新規キャラクタのスキル発動条件と同じ種類のスキル発動条件に関する複数の統計データ４２ａに基づいて、当該新規キャラクタのスキル発動確率を推測することができる。例えば、新規のスキル発動条件が「ＨＰが最大ＨＰの７．５％以下」という条件である場合、統計データ群４２に含まれる、スキル発動条件が「ＨＰが最大ＨＰの５％以下」である統計データ４２ａと、スキル発動条件が「ＨＰが最大ＨＰの１０％以下」である統計データ４２ａとに基づいて、新しいスキル発動条件である「ＨＰが最大ＨＰの７．５％以下」のスキル発動確率を推測することができる。例えば、スキル発動条件「ＨＰが最大ＨＰの５％以下」に関する統計データ４２ａがスキル発動確率として「５％」を示しており、スキル発動条件「ＨＰが最大ＨＰの１０％以下」である統計データ４２ａがスキル発動確率として「９％」を示している場合を考える。このとき、「ＨＰが最大ＨＰの７．５％以下」という条件における「７．５％以下」という数値は、「ＨＰが最大ＨＰの５％以下」という条件における「５％以下」という数値と、「ＨＰが最大ＨＰの１０％以下」という条件における「１０％以下」という数値との中間値である。したがって、例えば、推奨値特定部５０は、新規のスキル発動条件「ＨＰが最大ＨＰの７．５％以下」のスキル発動確率を、２つの統計データ４２ａのスキル発動確率「５％」と「９％」の中間値である「７％」と推測することができる。
【００９０】
次いで、推奨値特定部５０は、プランナから入力された新規キャラクタのレア度及びスキルの種類に基づいて、予め演算された複数の指標値から、入力された新規キャラクタのレア度及びスキルの種類の組み合わせに対応する指標値を特定する。そして、特定された指標値を、新規キャラクタのスキル発動確率で除することによって、当該新規キャラクタのスキルが発動したときに生じるべき効果値である理想効果値が算出される。
【００９１】
推奨値特定部５０は、上述のように算出された理想効果値に基づいて、新規キャラクタのスキル効果あるいは攻撃力の推奨値を特定できる。例えば、演算された理想効果値が「１００」であって、プランナから新規キャラクタの攻撃力として「２５」が入力された場合、推奨スキル効果として「通常攻撃の４倍のダメージを与える」を特定することができる。また、演算された理想効果値が「１００」であって、プランナから新規キャラクタのスキル効果として「通常攻撃の４倍のダメージを与える」が入力された場合、推奨攻撃力として「２５」を特定することができる。あるいは、演算された理想効果値が「１００」である場合、効果値が「１００」となるようなスキル効果と攻撃力の１又は複数の組み合わせを特定するようにしてもよい。
【００９２】
また、推奨値特定部５０は、新規キャラクタのスキル効果あるいは攻撃力の推奨値のみならず、スキル効果あるいは攻撃力の上限値及び下限値の少なくとも一方を特定するようにしてもよい。上限値とは、新規キャラクタのスキル効果あるいは攻撃力としてそれ以上のパラメータを設定すべきでないという限界値である。より具体的には、上限値とは、新規キャラクタに対して上限値以上のパラメータを設定した場合、当該新規キャラクタが、当該新規キャラクタのレア度より上のレア度のキャラクタよりも有利となり得る値である。同様に、下限値とは、新規キャラクタのスキル効果あるいは攻撃力としてそれ以下のパラメータを設定すべきでないという限界値である。より具体的には、下限値とは、新規キャラクタに対して下限値以下のパラメータを設定した場合、当該新規キャラクタが、当該新規キャラクタのレア度より下のレア度のキャラクタよりも不利となり得る値である。
【００９３】
レア度「Ｓ」とダメージスキルとの組み合わせに対応する指標値が「６０」であり、レア度「Ａ」とダメージスキルとの組み合わせに対応する指標値が「４０」であり、例えば、レア度「Ｂ」とダメージスキルとの組み合わせに対応する指標値が「２０」であるとする。
【００９４】
プランナから、新規キャラクタのパラメータとして、レア度「Ａ」及びスキル効果「通常攻撃の４倍のダメージを与える」が入力され、且つ、当該新規キャラクタのスキル発動確率が「５０％」であると特定された場合を考える。この場合、推奨値特定部５０は、レア度「Ａ」とダメージスキルとの組み合わせに対応する指標値「４０」に基づいて、新規キャラクタの攻撃力の推奨値として「２０」を特定すると共に、レア度「Ｓ」とダメージスキルとの組み合わせに対応する指標値「６０」に基づいて、当該新規キャラクタの攻撃力の上限値として「３０」を特定し、レア度「Ｂ」とダメージスキルとの組み合わせに対応する指標値「２０」に基づいて、当該新規キャラクタの攻撃力の下限値として「１０」を特定する。
【００９５】
また、プランナから、新規キャラクタのパラメータとして、レア度「Ａ」及び攻撃力「２０」が入力され、且つ、当該新規キャラクタのスキル発動確率が「５０％」であると特定された場合を考える。この場合、推奨値特定部５０は、レア度「Ａ」とダメージスキルとの組み合わせに対応する指標値「４０」に基づいて、新規キャラクタのスキル効果の推奨値として例えば「通常攻撃の４倍のダメージを与える」を特定すると共に、レア度「Ｓ」とダメージスキルとの組み合わせに対応する指標値「６０」に基づいて、当該新規キャラクタのスキル効果の上限値として例えば「通常攻撃の６倍のダメージを与える」を特定し、レア度「Ｂ」とダメージスキルとの組み合わせに対応する指標値「２０」に基づいて、当該新規キャラクタのスキル効果の下限値として例えば「通常攻撃の２倍のダメージを与える」を特定する。
【００９６】
なお、推奨値特定部５０は、上記の方法以外の方法で推奨値を特定するようにしてもよい。例えば、プランナから入力された、新規キャラクタのレア度とスキル発動条件と同じレア度とスキル発動条件を有するキャラクタに関する統計データ４２ａが存在する場合、推奨値特定部５０は、当該統計データ４２ａが示す実績効果値の代表値を理想効果値とし、当該理想効果値に基づいてスキル効果あるいは攻撃値の推奨値を特定してもよい。
【００９７】
推奨値特定部５０により特定された推奨値、あるいは上限値及び下限値は、プランナが新規キャラクタのパラメータを設定する際に、プランナ端末１２の表示部１２ｄに表示される。
【００９８】
棋譜ログ解析部５２は、プレイデータ収集部４６により記録された棋譜ログ４０を解析して解析結果を得る。当該解析結果は、プランナが新規キャラクタのパラメータ、特にスキル効果あるいは攻撃力を決定する際に参考となり得る内容のデータである。あるいは、当該解析結果は、プレイヤが自分のデッキに追加するキャラクタを選択する際に参考となり得る内容のデータである。本実施形態では、棋譜ログ解析部５２は、棋譜ログ４０に記録された、ひっくり返した枚数の総計を棋譜ログ４０のレコード数で除した値を算出する。すなわち、過去のゲームプレイ中における１ターン当たりの平均ひっくり返し枚数を算出する。
【００９９】
平均ひっくり返し枚数は、例えば、プランナが新規キャラクタのスキル効果を「ひっくり返した枚数×Ｘのダメージを与える」としたい場合の当該Ｘ値を決定する際に参考とすることができる。例えば、推奨値特定部５０により、レア度「Ａ」とダメージスキルとの組み合わせに対応する指標値が「４０」と特定されたとする。当該新規キャラクタのスキル発動確率が「５０％」であるとすると、新規キャラクタがレア度「Ａ」であれば、当該スキルの理想効果値は８０ということになる。ここで、例えば平均ひっくり返し枚数が「２枚」であれば、当該スキルの効果を適正な値である「ひっくり返した枚数×４０のダメージを与える」とすることができる。
【０１００】
また、プレイヤとしては、例えば、スキルの発動条件はほぼ同等である２つのキャラクタであって、一方のキャラクタのスキル効果が「ひっくり返した枚数×２０のダメージを与える」であり、他方のキャラクタのスキル効果が「３０（固定値）のダメージを与える」である場合に、どちらのキャラクタをデッキに入れるかを決定する際に、平均ひっくり返し回数を参考にすることができる。この場合、例えば、平均ひっくり返し回数が１．５回未満であれば、スキル効果が「３０のダメージを与える」であるキャラクタの方を選択し、平均ひっくり返し回数が１．５回以上であれば、スキル効果が「ひっくり返した枚数×２０のダメージを与える」であるキャラクタの方を選択する、というような決定をすることができる。
【０１０１】
上述のように、プレイデータＤＢ３６（棋譜ログ４０）の内容は刻々と変化していくため、棋譜ログ４０の解析結果も刻々と変化し得るものである。したがって、棋譜ログ解析部５２は、所定の時間間隔で棋譜ログ４０を解析し、解析結果（本実施形態では平均ひっくり返し枚数）を更新するのが望ましい。
【０１０２】
使用難易度特定部５４は、統計データ群４２に基づいて、キャラクタＤＢ３４に登録された各キャラクタについての使用難易度を特定する。使用難易度とは、本ゲームにおけるキャラクタの使いやすさを示す指標である。例えば、使用難易度は「１」〜「５」までの数値で表され、「１」が最も使いやすく、「５」は最も使いづらいことを示すようにしてもよい。
【０１０３】
使用難易度特定部５４は、キャラクタのスキル発動確率に基づいて使用難易度を特定できる。スキルの発動確率が低くなるスキル発動条件は、例えば「ひっくり返した枚数が３枚以上」あるいは「盤上に属性がＰ１の自キャラクタが３枚以上」など、本ゲームに慣れたプレイヤでないと効果を発動できないような条件である場合が多い。一方、スキルの発動確率が高い場合は、本ゲームに不慣れなプレイヤであっても効果を発動できる場合が多いということになる。したがって、使用難易度特定部５４は、スキルの発動確率が低い程使用難易度を高く見積もり、スキルの発動確率が高い程使用難易度を低く見積もる。
【０１０４】
あるいは、使用難易度特定部５４は、キャラクタがスキルを発動したときの実績効果値の分布に基づいて使用難易度を特定できる。実績効果値がより広く分布している場合、そのスキル効果が、例えば「ひっくり返した枚数×Ｘのダメージを与える」など、本ゲームに慣れたプレイヤほどより多く相手にダメージを与えられるような内容である場合が多い。一方、スキル効果が、例えば「通常攻撃のＸ倍のダメージを与える」という内容であれば、一旦当該スキルが発動すれば、プレイヤによらずある程度のダメージを与えることができる。したがって、使用難易度特定部５４は、実績効果値がより広く分布している程使用難易度を高く見積もり、実績効果値がより狭く分布している程使用難易度を低く見積もる。
【０１０５】
本実施形態においては、使用難易度特定部５４は、スキル発動確率及び実績効果値の分布の双方を勘案して、キャラクタの使用難易度を特定する。使用難易度は、プレイヤがデッキに入れるキャラクタを選択する際にプレイヤ端末１４の表示部１４ｄに表示される。
【０１０６】
表示制御部５６は、統計データ生成部４８が生成した統計データ４２ａ、推奨値特定部５０が特定した推奨値、棋譜ログ解析部５２が解析して得られた解析結果をプランナ端末１２の表示部１２ｄ、あるいはプレイヤ端末１４の表示部１４ｄに表示させる。
【０１０７】
まず、表示制御部５６がプランナ端末１２の表示部１２ｄに各種データを表示させた場合について説明する。図１０には、統計データ４２ａが表示部１２ｄに表示された様子を示す図である。統計データ４２ａは、プランナが新規キャラクタを作成する際に、表示部１２ｄに表示される。
【０１０８】
上述の通り、統計データ４２ａは、各キャラクタのスキル発動条件、スキル発動確率、及び実績効果値の分布が示されたものであるから、統計データ４２ａが表示部１２ｄに表示されることによって、プランナによる新規キャラクタの適切なスキル効果あるいは攻撃力の設定が支援される。例えば、表示された統計データ４２ａの中に、新規キャラクタのスキル発動条件と同じスキル発動条件に関する統計データ４２ａがあれば、当該統計データ４２ａによって、新規キャラクタのスキル発動確率を把握することができる。これにより、当該新規キャラクタがスキルを発動したときに適切な効果値を発揮するように、スキル効果あるいは攻撃値を設定できる。
【０１０９】
また、複数の統計データ４２ａを表示させることによって、新規キャラクタのスキル発動条件が新しいものである場合にも、当該新しいスキル発動条件と同じ種類のスキル発動条件についての複数の統計データ４２ａを比較することで、プランナは、当該新しいスキル発動条件のスキル発動確率を推測することも可能になる。これにより、新規キャラクタはスキル効果あるいは攻撃力を適切に設定することができる。
【０１１０】
なお、上述のように、統計データ群４２のうち表示対象となる統計データ４２ａは、プランナにより選択可能である。表示部１２ｄにおける統計データ４２ａの表示画面には、表示される統計データ４２ａを選択するための入力ボックス６０が設けられている。入力ボックス６０には、キャラクタのパラメータ項目とパラメータ値の組み合わせを設定できるようになっている。図１０の例では、パラメータ項目として「レア度」、パラメータ値として「Ｓ」が選択されている。この場合、表示部１２ｄには、統計データ群４２のうち、レア度がＳであるキャラクタのスキルに関する統計データ４２ａが選択されて表示部１２ｄに表示される。もちろん、入力ボックス６０においては、その他のパラメータ項目、例えば、属性、スキル発動条件、スキル効果、あるいはスキルの種類なども設定できるようになっていてよい。
【０１１１】
統計データ４２ａの表示画面には、新規キャラクタの各パラメータを入力するためのパラメータ入力画面に遷移するためのボタン６２が表示されている。ボタン６２がクリックされると図１１に示すようなパラメータ入力画面が表示部１２ｄに表示される。
【０１１２】
パラメータ入力画面においては、新規キャラクタの各パラメータ項目に対する各パラメータを入力する入力欄７０が表示される。プランナは、入力欄７０に対して、新規キャラクタの各パラメータを入力することができる。それと共に、パラメータ入力画面には、推奨値特定部５０が特定した推奨値７２ａ、上限値７２ｂ、下限値７２ｃが表示されてもよい。例えば、図１１の例では、プランナから、レア度「Ａ」、スキル効果「通常攻撃の２倍のダメージを与える」、及び発動条件「盤上に属性がＰ１の自キャラクタが２枚以上」が入力されている。推奨値特定部５０は、これらのパラメータと統計データ群４２に基づいて、攻撃力の推奨値「２５」、上限値「３０」、下限値「１０」をそれぞれ特定し、特定された各値が表示されている。なお、推奨値７２ａ、上限値７２ｂ、及び下限値７２ｃは、プランナの要求に応じて表示することができる。なお、パラメータ入力画面には、再度統計データを表示させるためのボタン７４が設けられている。
【０１１３】
図１２には、パラメータ入力画面の他の例が示されている。図１２においては、棋譜ログ解析部５２による棋譜ログ４０の解析によって得られた平均ひっくり返し枚数７６が表示されている。平均ひっくり返し枚数７６も、プランナの要求に応じて表示することができる。プランナは、新規キャラクタのスキル効果を「ひっくり返した枚数×Ｘのダメージを与える」としたい場合に、そのＸの値を決定する際に、統計データ４２ａと共に平均ひっくり返し枚数７６を参考にすることができる。
【０１１４】
次に、表示制御部５６がプレイヤ端末１４の表示部１４ｄに各種データを表示させた場合について説明する。図１３には、統計データ４２ａが表示部１４ｄに表示された様子を示す図である。統計データ４２ａは、プレイヤがデッキにいれるキャラクタ、すなわちゲームで使用するキャラクタを選択する際に、表示部１２ｄに表示される。
【０１１５】
統計データ４２ａが表示部１４ｄに表示されることによって、プレイヤによる適切なキャラクタの選択が支援される。例えば、プレイヤが取得済みのキャラクタのスキルに対応する統計データ４２ａを参照することで、当該キャラクタのスキル発動確率を把握することができる。プレイヤは、各キャラクタのスキル発動確率と、スキル効果を勘案することで、適切なキャラクタを選択してデッキに入れることができる。
【０１１６】
なお、上述のように、統計データ群４２のうち表示対象となる統計データ４２ａは、プレイヤにより選択可能である。プランナ端末１２の表示部１２ｄへの表示同様、表示部１４ｄにおける統計データ４２ａの表示画面にも入力ボックス６０が設けられている。
【０１１７】
統計データ４２ａの表示画面には、デッキに入れるキャラクタを選択するためのキャラクタ選択画面に遷移するためのボタン８０が表示されている。ボタン８０がクリックされると図１４に示すようなキャラクタ選択画面が表示部１４ｄに表示される。
【０１１８】
キャラクタ選択画面においては、プレイヤが取得したキャラクタの各パラメータ８２が表示される。本ゲームではプレイヤは複数のキャラクタを有しているので、切替アイコン８４ａあるいは８４ｂをタッチすることで、パラメータ８２を表示させるキャラクタを切り替えることができる。あるいは、複数のキャラクタのパラメータ８２が並列に表示されるようにしてもよい。それと共に、キャラクタ選択画面には、使用難易度特定部５４が特定した当該キャラクタの使用難易度８６が表示される。これにより、プレイヤは、表示されたキャラクタの使用難易度を直感的に把握することができる。なお、キャラクタ選択画面には、表示されたキャラクタをデッキに追加するためのボタン８８、デッキに追加済みのキャラクタに関する情報を表示するためのボタン９０、再度統計データを表示させるためのボタン９２が設けられている。
【０１１９】
なお、本実施形態では、統計データ４２ａは、キャラクタが有する１つのスキルに関する、スキル発動条件、効果発動確率としてのスキル発動確率、及び、実績効果値の分布を示すものであるが、統計データ４２ａが、キャラクタ名と、当該キャラクタがスキルを発動したときの実績効果値の分布のみを示す態様も採用することができる。なお、この場合、プレイデータとしては、少なくとも、キャラクタ名と実績効果値のみが含まれていればよい。この場合、プランナとしては、別途資料などに基づいて、キャラクタ名から当該キャラクタのスキル発動条件を特定することが可能であるため、特定したスキル発動条件と、統計データ４２ａから把握される当該スキルの実績効果値の分布に基づいて、新規キャラクタの適切なスキル効果あるいは攻撃力を推測することが可能となる。また、プレイヤとしても、ゲーム内で表示されるキャラクタ情報に基づいて、キャラクタ名から当該キャラクタのスキル発動条件を特定することが可能であるため、特定したスキル発動条件と、統計データ４２ａから把握される当該スキルの実績効果値の分布に基づいて、新規キャラクタがどの程度有効であるかを推測することが可能となる。
【０１２０】
本実施形態に係るゲームシステム１０の概要は以上の通りである。以下、図１５に示されたフローチャートに従って、ゲームサーバ１６の処理の流れを説明する。
【０１２１】
ステップＳ１０において、プレイデータ収集部４６は、ゲームプレイ中においてプレイデータを取得し、取得したプレイデータをプレイデータＤＢ３６に格納する。
【０１２２】
ステップＳ１２において、統計データ生成部４８は、ステップＳ１０でプレイデータ収集部４６が収集したプレイデータのうちスキル実績ＤＢ３８に格納されたデータに基づいて、キャラクタＤＢ３４に登録された各キャラクタについての統計データ４２ａを生成する。これにより、統計データ群４２が形成される。
【０１２３】
ステップＳ１４において、棋譜ログ解析部５２は、ステップＳ１０でプレイデータ収集部４６が収集したプレイデータのうち棋譜ログ４０を解析する。本実施形態では、これにより平均ひっくり返し枚数が算出される。
【０１２４】
ステップＳ１６において、使用難易度特定部５４は、ステップＳ１２で生成された統計データ群４２に基づいて、キャラクタＤＢ３４に登録された各キャラクタについての使用難易度を特定する。
【０１２５】
ステップＳ１８において、ゲームサーバ１６の制御部４４は、プランナ端末１２からの新規キャラクタの作成要求、又は、プレイヤ端末１４からのデッキ編集要求を受信したか否かを判定する。いずれも受信しなかった場合はステップＳ１０に戻る。プランナ端末１２からの新規キャラクタの作成要求を受信したと判定した場合は、ステップＳ２０に進む。
【０１２６】
ステップＳ２０において、表示制御部５６は、統計データ群４２のうち、プランナにより選択された１又は複数の統計データ４２ａをプランナ端末１２の表示部１２ｄに表示させる。
【０１２７】
ステップＳ２２において、プランナにより新規キャラクタの一部のパラメータが入力される。ここでは、少なくとも新規キャラクタのレア度、スキル発動条件、及びスキル効果が入力されたとする。
【０１２８】
ステップＳ２４において、推奨値特定部５０は、ステップＳ１２で生成された統計データ群４２、並びに、ステップＳ２２で入力された新規キャラクタのレア度、スキル発動条件、及びスキル効果に基づいて、新規キャラクタの攻撃力の推奨値を特定する。さらに、新規キャラクタの攻撃力の上限値及び下限値の少なくとも一方が特定されてもよい。
【０１２９】
ステップＳ２６において、表示制御部５６は、ステップＳ２４で特定された推奨値を表示部１２ｄに表示させる。また、プランナからの指示に基づいて、ステップＳ１４で取得された平均ひっくり返し枚数を表示部１２ｄに表示させる。
【０１３０】
ステップＳ１８で、ゲームサーバ１６の制御部４４が、プレイヤ端末１４からのデッキ編集要求を受信したと判定した場合は、ステップＳ２８に進む。
【０１３１】
ステップＳ２８において、表示制御部５６は、統計データ群４２のうち、プレイヤにより選択された１又は複数の統計データ４２ａをプレイヤ端末１４の表示部１４ｄに表示させる。
【０１３２】
ステップＳ３０において、プレイヤによりデッキ追加候補キャラクタが選択される。
【０１３３】
ステップＳ３２において、表示制御部５６は、ステップＳ２４で選択されたデッキ追加候補キャラクタの各パラメータを表示部１４ｄに表示させると共に、ステップＳ１６で特定された、当該デッキ追加候補キャラクタの使用難易度を表示部１４ｄに表示させる。
【０１３４】
以上、本発明に係る実施形態を説明したが、本発明は上記実施形態に限られるものではなく、本発明の趣旨を逸脱しない限りにおいて種々の変更が可能である。
【０１３５】
例えば、上記実施形態は、盤２０上にキャラクタを配置していく電子ゲームに関するものであったが、本発明は、上記以外の電子ゲームにおいても適用し得る。具体的には、パラメータとして、ゲームの状況に関する条件である効果発動条件及び効果基準を有し、効果が発動したときに効果基準に応じた効果が生じるゲームオブジェクトを用いるゲームである限り、本発明を適用することができる。
【０１３６】
また、上記実施形態は、ゲームオブジェクトがキャラクタである例であったが、ゲームオブジェクトとしては、これには限られない。例えば、ゲームオブジェクトとしては、ゲーム内で用いられるアイテム、装備品、技などであってもよい。
【符号の説明】
【０１３７】
１０  ゲームシステム、１２  プランナ端末、１２ａ，１４ａ，４４  制御部、１２ｂ，１４ｂ，３０  通信部、１２ｃ，１４ｃ  入力部、１２ｄ，１４ｄ  表示部、１２ｅ，１４ｅ，３２  記憶部、１４  プレイヤ端末、１６  ゲームサーバ、３４  キャラクタＤＢ、３６  プレイデータＤＢ、３８  スキル実績ＤＢ、４０  棋譜ログ、４２  統計データ群、４２ａ  統計データ、４６  プレイデータ収集部、４８  統計データ生成部、５０  推奨値特定部、５２  棋譜ログ解析部、５４  使用難易度特定部、５６  表示制御部。
【図１】
2018174998.tif 000004
【図２】
2018174998.tif 000005
【図３】
2018174998.tif 000006
【図４】
2018174998.tif 000007
【図５】
2018174998.tif 000008
【図６】
2018174998.tif 000009
【図７】
2018174998.tif 000010
【図８】
2018174998.tif 000011
【図９】
2018174998.tif 000012
【図１０】
2018174998.tif 000013
【図１１】
2018174998.tif 000014
【図１２】
2018174998.tif 000015
【図１３】
2018174998.tif 000016
【図１４】
2018174998.tif 000017
【図１５】
2018174998.tif 000018
【手続補正書】
【提出日】平成29年6月29日(2017.6.29)
【手続補正１】
【補正対象書類名】特許請求の範囲
【補正対象項目名】全文
【補正方法】変更
【補正の内容】
【特許請求の範囲】
【請求項１】
パラメータとして、電子ゲームのゲーム状況に関する条件である効果発動条件、及び、効果基準を含み、前記効果発動条件を満たした場合に前記効果基準に応じた前記電子ゲーム上の効果を発動するゲームオブジェクトに関する、前記効果を発動したときの実績効果値を含むプレイデータをゲームプレイ中に収集するプレイデータ収集部と、
前記プレイデータに基づいて、前記ゲームオブジェクトに関する、前記効果発動条件及び前記実績効果値の分布を示す統計データを生成する統計データ生成部と、
前記ゲームオブジェクトの作成者により入力された、新規ゲームオブジェクトの前記電子ゲームにおける有効度及び前記効果発動条件、並びに、前記統計データに基づいて、前記新規ゲームオブジェクトの前記効果基準の推奨値を特定する推奨値特定部と、
前記統計データ及び前記推奨値を表示部に表示させる表示制御部と、
を備えることを特徴とする情報処理装置。
【請求項２】
前記プレイデータは、さらに、前記効果を発動し得る状態となった回数である効果発動可能回数、及び、前記効果を発動した回数を含み、
前記統計データは、さらに、前記効果が発動された確率である効果発動確率を含む、
ことを特徴とする請求項１に記載の情報処理装置。
【請求項３】
前記統計データ生成部は、複数の前記ゲームオブジェクトに関する前記プレイデータに基づいて、複数の前記ゲームオブジェクトに関する統計データ群を生成し、
前記表示制御部は、前記統計データ群のうち、少なくとも１つの共通するパラメータを有する複数の前記ゲームオブジェクトに関する複数の統計データを比較可能に表示させる、
ことを特徴とする請求項１又は２に記載の情報処理装置。
【請求項４】
前記電子ゲームは、プレイヤが前記ゲームオブジェクトをゲームフィールドに配置していくゲームであり、
前記実績効果値は、前記ゲームフィールドにおける前記ゲームオブジェクトの配置状態に応じて変動し、
前記プレイデータは、さらに、前記ゲームフィールドへの前記ゲームオブジェクトの配置履歴データを含み、
前記情報処理装置は、
前記配置履歴データを解析する配置履歴データ解析部、
をさらに備え、
前記表示制御部は、さらに、前記配置履歴の解析結果を表示部に表示させる、
ことを特徴とする請求項１から３のいずれか１項に記載の情報処理装置。
【請求項５】
前記電子ゲームは、プレイヤが複数の前記ゲームオブジェクトから使用するゲームオブジェクトを選択するゲームであり、
前記表示制御部は、前記プレイヤが使用する前記ゲームオブジェクトを選択するときに前記統計データを表示させる、
ことを特徴とする請求項１から４のいずれか１項に記載の情報処理装置。
【請求項６】
前記統計データに基づいて、前記ゲームオブジェクトの使用難易度を特定する使用難易
度特定部と、
をさらに備え、
前記表示制御部は、前記プレイヤが使用する前記ゲームオブジェクトを選択するときに、前記使用難易度を表示部に表示させる、
ことを特徴とする請求項５に記載の情報処理装置。
【請求項７】
コンピュータを、
パラメータとして、電子ゲームのゲーム状況に関する条件である効果発動条件、及び、効果基準を含み、前記効果発動条件を満たした場合に前記効果基準に応じた前記電子ゲーム上の効果を発動するゲームオブジェクトに関する、前記効果を発動したときの実績効果値を含むプレイデータをゲームプレイ中に収集するプレイデータ収集部と、
前記プレイデータに基づいて、前記ゲームオブジェクトに関する、前記効果発動条件及び前記実績効果値の分布を示す統計データを生成する統計データ生成部と、
前記ゲームオブジェクトの作成者により入力された、新規ゲームオブジェクトの前記電子ゲームにおける有効度及び前記効果発動条件、並びに、前記統計データに基づいて、前記新規ゲームオブジェクトの前記効果基準の推奨値を特定する推奨値特定部と、
前記統計データ及び前記推奨値を表示部に表示させる表示制御部と、
として機能させることを特徴とする情報処理プログラム。
【手続補正２】
【補正対象書類名】明細書
【補正対象項目名】００１０
【補正方法】変更
【補正の内容】
【００１０】
本発明は、パラメータとして、電子ゲームのゲーム状況に関する条件である効果発動条件、及び、効果基準を含み、前記効果発動条件を満たした場合に前記効果基準に応じた前記電子ゲーム上の効果を発動するゲームオブジェクトに関する、前記効果を発動したときの実績効果値を含むプレイデータをゲームプレイ中に収集するプレイデータ収集部と、前記プレイデータに基づいて、前記ゲームオブジェクトに関する、前記効果発動条件及び前記実績効果値の分布を示す統計データを生成する統計データ生成部と、前記ゲームオブジェクトの作成者により入力された、新規ゲームオブジェクトの前記電子ゲームにおける有効度及び前記効果発動条件、並びに、前記統計データに基づいて、前記新規ゲームオブジェクトの前記効果基準の推奨値を特定する推奨値特定部と、前記統計データ及び前記推奨値を表示部に表示させる表示制御部と、を備えることを特徴とする情報処理装置である。
【手続補正３】
【補正対象書類名】明細書
【補正対象項目名】００１１
【補正方法】変更
【補正の内容】
【００１１】
望ましくは、前記プレイデータは、さらに、前記効果を発動し得る状態となった回数である効果発動可能回数、及び、前記効果を発動した回数を含み、前記統計データは、さらに、前記効果が発動された確率である効果発動確率を含む、ことを特徴とする。
【手続補正４】
【補正対象書類名】明細書
【補正対象項目名】００１４
【補正方法】削除
【補正の内容】
【手続補正５】
【補正対象書類名】明細書
【補正対象項目名】００１７
【補正方法】変更
【補正の内容】
【００１７】
また、本発明は、コンピュータを、パラメータとして、電子ゲームのゲーム状況に関する条件である効果発動条件、及び、効果基準を含み、前記効果発動条件を満たした場合に前記効果基準に応じた前記電子ゲーム上の効果を発動するゲームオブジェクトに関する、前記効果を発動したときの実績効果値を含むプレイデータをゲームプレイ中に収集するプレイデータ収集部と、前記プレイデータに基づいて、前記ゲームオブジェクトに関する、前記効果発動条件及び前記実績効果値の分布を示す統計データを生成する統計データ生成部と、前記ゲームオブジェクトの作成者により入力された、新規ゲームオブジェクトの前記電子ゲームにおける有効度及び前記効果発動条件、並びに、前記統計データに基づいて、前記新規ゲームオブジェクトの前記効果基準の推奨値を特定する推奨値特定部と、前記統計データ及び前記推奨値を表示部に表示させる表示制御部と、として機能させることを特徴とする情報処理プログラムである。